(57)【要約】【課題】隣り合う偏向部の間を中空にした状態で、複数の偏向部に接着層を接着しても、採光効率や反射輝度などの光学特性が劣化しないようにする。【解決手段】光制御シート１は、シート面に沿って配置される、複数の偏向部３と、複数の偏向部３のそれぞれのシート面に交差する方向の一端部に傾斜してまたは段差状に接合される複数の突起部４と、隣り合う偏向部の間が中空になるように、シート面に沿って複数の突起部に接着される接着層５と、を備える。【選択図】図１
2014228652.tif 000002
【特許請求の範囲】
【請求項１】
シート面に沿って配置される、複数の偏向部と、
前記複数の偏向部のそれぞれの前記シート面に交差する方向の一端部に傾斜してまたは段差状に接合される複数の突起部と、
隣り合う前記偏向部の間が中空になるように、前記シート面に沿って前記複数の突起部に接着される接着層と、を備えることを特徴とする光制御シート。
【請求項２】
前記接着層は、前記偏向部の側面に接着されないように前記複数の突起部に接着されることを特徴とする請求項１に記載の光制御シート。
【請求項３】
前記複数の突起部のそれぞれの前記シート面に交差する方向の厚さは、前記接着層の厚さと、前記複数の突起部のそれぞれに対応する前記偏向部の前記シート面に交差する方向の厚さの０．１倍との差分より大きいことを特徴とする請求項１または２に記載の光制御シート。
【請求項４】
前記複数の突起部のそれぞれの前記シート面に交差する方向の厚さは、前記接着層の厚さと、前記複数の突起部のそれぞれに対応する前記偏向部の前記シート面に交差する方向の厚さの０．５倍との和より小さいことを特徴とする請求項１乃至３のいずれかに記載の光制御シート。
【請求項５】
前記複数の偏向部のそれぞれの前記シート面方向の幅は、前記複数の突起部のそれぞれの前記シート面方向の幅より大きいことを特徴とする請求項１乃至４のいずれかに記載の光制御シート。
【請求項６】
前記複数の突起部のそれぞれの前記シート面方向の幅は、５μｍより大きいことを特徴とする請求項１乃至５のいずれかに記載の光制御シート。
【請求項７】
前記複数の偏向部のそれぞれは、対応する前記突起部に接する一端部から、反対側の他端部まで延びる傾斜面を有し、
前記接着層を通して前記一端部側から前記複数の偏向部に入光された光の少なくとも一部を前記傾斜面で反射させて、前記他端部側から出光させることを特徴とする請求項１乃至６のいずれかに記載の光制御シート。
【請求項８】
前記複数の偏向部のそれぞれは、対応する前記突起部に接する一端部から、反対側の他端部まで延びる傾斜面を有し、
前記他端部側から前記複数の偏向部に入光された光の少なくとも一部を前記傾斜面で反射させて、前記他端部側から出光させることを特徴とする請求項１乃至６のいずれかに記載の光制御シート。
【請求項９】
前記複数の偏向部のそれぞれは、対応する前記突起部に接する一端部から、反対側の他端部まで延びる傾斜面を有し、
前記接着層を通して前記一端部側から前記複数の偏向部に入光された光の少なくとも一部を、前記傾斜面で反射させて前記他端部側から出光させることを特徴とする請求項１乃至６のいずれかに記載の光制御シート。
【発明の詳細な説明】
【技術分野】
【０００１】
本発明は、採光具、面表示装置用のバックライト装置、および反射型面表示装置などに用いることが可能な光制御シートに関する。
【背景技術】
【０００２】
周期的な内部構造により入射光を制御する光制御シートが種々の用途で用いられている。例えば、特許文献１には、透明シート材のシート面に沿って複数の凹状溝を形成して、これら凹状溝に充填材を充填して反射面を形成した採光シートが開示されている。この採光シートを窓に貼り付けると、窓から入射された太陽光は、反射面で反射されて室内の天井等に導光され、太陽光の直射を避けつつ、室内を明るく維持できる。凹状溝に充填物を充填した構造物は、単位プリズムに似た形状である。
【０００３】
また、特許文献２には、透明基材シートの表面に単位プリズムを配置した反射型液晶パネル用の光反射板が開示されている。この特許文献２では、単位プリズムの傾斜角を最適化することで、表面反射光が視認者の目に入らないようにしつつ、視角を広くしている。
【０００４】
さらに、特許文献３には、面光源装置の入光側に複数の単位プリズムを並べて配置し、これら単位プリズムの形状を最適化することで、ある特定の観察方向における表示映像の色味が著しく変化しないようにする技術が開示されている。
【先行技術文献】
【特許文献】
【０００５】
【特許文献１】特開２０１０−２５９４０６号公報
【特許文献２】特開２０００−３９５０７号公報
【特許文献３】特開２０１１−１３８７０７号公報
【発明の概要】
【発明が解決しようとする課題】
【０００６】
特許文献１〜３のいずれも、シート材の中に、シート面に沿って単位プリズムまたはそれに類似する形状の構造物が複数形成されており、以下では、これらの構造物を便宜上、単位プリズムと呼ぶ。
【０００７】
単位プリズムとその周囲とは屈折率が異なっており、理想的には、隣り合う単位プリズムの間の領域は中空であるのが望ましい。屈折率の差が最大になるためである。
【０００８】
ところが、単位プリズムの間の領域を中空にしたまま、接着層を介して他のシート部材を接合すると、接着層の一部が単位プリズムの間の領域に入り込んでしまい、単位プリズムでの光の反射強度すなわち反射輝度が低下してしまう。
【０００９】
例えば、図７は採光シート１００を接着層を介して窓１０１に貼り付けた例を示す図である。採光シートのシート面に沿って形成された単位プリズム１０２の間の領域１０３が中空であったとすると、この内部の一部に接着層１０３が入り込んでしまい、本来は図７の破線矢印で示す天井の方向に屈折させるべき光が、図７の実線矢印のように斜め下方に屈折されてしまい、本来の採光効果が得られないおそれがある。
【００１０】
また、図８は反射シート１１０の例を示す図である。図８の反射シート１１０は、プリズムフィルム１１１に接着層１１２を介して反射基板１１３を貼り付けた構造である。本来であれば、入射光は図の破線矢印で示すように、単位プリズム１１４内で二回反射されて、入射光の入射面と同じ面から出射されるべきであるが、単位プリズム１１４の間に接着層が入り込むと、異なる方向に反射されたり、反射の代わりに屈折したりして、反射輝度が低くなってしまう。
【００１１】
本発明は、上述した問題点に鑑みてなされたものであり、隣り合う偏向部の間を中空にした状態で、複数の偏向部に接着層を接着しても、採光効率や反射輝度などの光学特性が劣化しないようにした光制御シートを設けるものである。
【課題を解決するための手段】
【００１２】
上記の課題を解決するために、本発明の一態様に係る光制御シートは、シート面に沿って配置される複数の偏向部と、
前記複数の偏向部のそれぞれの前記シート面に交差する方向の一端部に傾斜してまたは段差状に接合される複数の突起部と、
隣り合う前記偏向部の間が中空になるように、前記シート面に沿って前記複数の突起部に接着される接着層と、を備える。
【００１３】
前記接着層は、前記偏向部の側面に接着されないように前記複数の突起部に接着されてもよい。
【００１４】
前記複数の突起部のそれぞれの前記シート面に交差する方向の厚さは、前記接着層の厚さと、前記複数の突起部のそれぞれに対応する前記偏向部の前記シート面に交差する方向の厚さの０．１倍との差分より大きくてもよい。
【００１５】
前記複数の突起部のそれぞれの前記シート面に交差する方向の厚さは、前記接着層の厚さと、前記複数の突起部のそれぞれに対応する前記偏向部の前記シート面に交差する方向の厚さの０．５倍との和より小さくてもよい。
【００１６】
前記複数の偏向部のそれぞれの前記シート面方向の幅は、前記複数の突起部のそれぞれの前記シート面方向の幅より大きくてもよい。
【００１７】
前記複数の突起部のそれぞれの前記シート面方向の幅は、５μｍより大きくてもよい。
【００１８】
前記複数の偏向部のそれぞれは、対応する前記突起部に接する一端部から、反対側の他端部まで延びる傾斜面を有し、
前記接着層を通して前記一端部側から前記複数の偏向部に入光された光の少なくとも一部を前記傾斜面で反射させて、前記他端部側から出光させてもよい。
【００１９】
前記複数の偏向部のそれぞれは、対応する前記突起部に接する一端部から、反対側の他端部まで延びる傾斜面を有し、
前記他端部側から前記複数の偏向部に入光された光の少なくとも一部を前記傾斜面で反射させて、前記他端部側から出光させてもよい。
【００２０】
前記複数の偏向部のそれぞれは、対応する前記突起部に接する一端部から、反対側の他端部まで延びる傾斜面を有し、
前記接着層を通して前記一端部側から前記複数の偏向部に入光された光の少なくとも一部を、前記傾斜面で反射させて前記他端部側から出光させてもよい。
【発明の効果】
【００２１】
本発明によれば、隣り合う偏向部の間を中空にした状態で、複数の偏向部に接着層を接着しても、採光効率や反射輝度などの光学特性が劣化しない光制御シートを提供できる。
【図面の簡単な説明】
【００２２】
【図１】第１の実施形態に係る光制御シート１の部分断面図。
【図２】（ａ）と（ｂ）は突起部の厚さと接着層の厚さを変えた例を説明する図。
【図３】（ａ）と（ｂ）は金型を用いて偏向部３と突起部４を形成する例を説明する図。
【図４】再帰反射シートとして利用可能な光制御シート１の一例を示す部分断面図。
【図５】本実施形態に係る光制御シート１を有する面光源装置１１を模式的に示す図。
【図６】（ａ）〜（ｆ）は偏向部３と突起部４の他の断面形状の例を示す図。
【図７】採光シート１００を接着層を介して窓１０１に貼り付けた例を示す図。
【図８】反射シート１１０の例を示す図。
【発明を実施するための形態】
【００２３】
以下、本発明の実施の形態について、詳細に説明する。
【００２４】
（第１の実施形態）
図１は本発明の第１の実施形態に係る光制御シート１の部分断面図である。図１の光制御シート１は、採光用に窓や採光具に貼り付けて用いることを想定したものである。図１の光制御シート１は、シート面に沿って配置される複数の偏向部３と、複数の偏向部３のそれぞれのシート面に交差する方向の一端部すなわち先端部に傾斜してまたは段差状に接合される複数の突起部４と、隣り合う偏向部３の間が中空になるようにシート面に沿って複数の突起部４に接着される接着層５と、を備えている。
【００２５】
複数の突起部４に接着層５を接着させることにより、隣り合う偏向部３の間に中空の領域１０が形成される。このような中空の領域１０を形成することで、偏向部３との屈折率差を最大にでき、反射輝度等の光学特性を向上できる。
【００２６】
複数の偏向部３と複数の突起部４は、光偏向層６の表面を加工して複数の溝７を形成することにより、これら溝７の合間に形成されるものである。偏向部３と突起部４の材料は、光偏向層６の材料と同じであってもよいし、光偏向層６の材料と異なっていてもよい。偏向部３の材料は、突起部４の材料と同じであること、すなわち、複数の偏向部３のそれぞれの先端部には、突起部４が一体成形されていることが好ましい。
【００２７】
偏向部３、突起部４および光偏向層６の材料としては、可視光に対して透明な材料、例えば、アクリル、スチレン、ポリカーボネート、ポリエチレンテレフタレート、アクリオニトリル等の一以上を主成分とする透明樹脂や、エポキシアクリレートやウレタンアクリレート系の反応性樹脂（電離放射線硬化型樹脂等）の硬化物が用いられる。
【００２８】
電離放射線硬化性樹脂としては、紫外線硬化性樹脂、電子線硬化性樹脂、可視光線硬化性樹脂、近赤外線硬化性樹脂等が挙げられる。このうち紫外線硬化性樹脂および電子線硬化性樹脂としては、一例として、従来から慣用されている重合性オリゴマーないしはプレポリマーの中から適宜選択して用いることができる。また、紫外線硬化性樹脂を用いる場合には、光重合開始剤を併用することが好ましい。
【００２９】
偏向部３は、その主断面構造が例えば三角形または台形であり、接着層５に近い側ほど、偏向部３のシート面方向の幅は狭くなっている。偏向部３の接着層５側の一端部３ａに突起部４が一体成形されており、この一端部３ａから反対側の他端部３ｂにかけて、傾斜面３ｃが形成されている。偏向部３は、接着層５を通して一端部３ａ側に入光された光の少なくとも一部を傾斜面３ｃで反射させて、他端部３ｂ側から出光させる。
【００３０】
偏向部３のピッチ、すなわち隣接する偏向部３同士のシート面方向の距離は、例えば１００μｍ〜５００μｍ程度であり、光制御シート１の厚み方向における偏向部３の長さ（厚さ）は、例えば数１０μｍ程度である。なお、偏向部３のピッチやそのサイズは特に制限はない。
【００３１】
接着層５は、例えばドライラミネート材によって形成される。
【００３２】
光偏向層６の複数の偏向部３と対向する面６ａ側には基材層８が配置されている。また、接着層５の複数の偏向部３と対向する面側は、例えば窓または採光具９に貼り付けられる。
【００３３】
本明細書では、光制御シート１を構成する各面を包括的にシート面と呼ぶ。よって、本明細書におけるシート面とは、光制御シート１を構成する各層の面をすべて包含する意味合いを持つ。
【００３４】
接着層５は、複数の突起部４に接着されており、理想的には、接着層５は、複数の突起部４のシート面に交差する方向の厚さ全体に接着され、かつ複数の偏向部３には接着されていないことが望ましい。これにより、隣り合う偏向部３と接着層５で囲まれる中空の領域１０が理想的な形状になる。すなわち、理想的には、中空の領域１０には、偏向部３の側面全体が露出され、かつ突起部４は接着層５に埋め込まれて露出されない。このような理想的な中空の領域１０が形成されると、窓または採光具９から接着層５を通して入光された光を偏向部３の側面に導くことができる。したがって、偏向部３の側面の傾斜角度が入射光を斜め上方に反射するように形成されていれば、その方向に入射光を反射させることができ、本来意図した通りの採光効率が得られる。
【００３５】
一方、接着層５が複数の偏向部３の側面の一部にまで接着されていたり、接着層５が突起部４の一部にしか接着されていない場合は、隣り合う偏向部３と接着層５とで囲まれる中空の領域１０の形状が理想的な形状とは異なったものになり、所望の光学特性が得られなくなるおそれがある。
【００３６】
例えば、図２（ａ）は接着層５が複数の偏向部３の一部にまで接着されている状態を示す断面図である。図２（ａ）の場合、隣り合う偏向部３と接着層５とで囲まれる中空の領域１０が理想的な形状よりも狭くなる。よって、窓または採光具９から接着層５を通して偏向部３の側面に到達された光の進行方向が変化してしまう。よって、反射輝度が低下するおそれがある。
【００３７】
また、図２（ｂ）は接着層５が複数の突起部４の一部の厚さまでしか接着されていない状態を示す断面図である。図２（ｂ）の場合、隣り合う偏向部３と接着層５とで形成される中空の領域１０内に突起部４の一部も含まれることになり、窓または採光具９から接着層５を通して中空の領域１０に入光された光が突起部４で反射や屈折をし、理想的な光学特性とは異なった光学特性になる。
【００３８】
上述したように、理想的には、接着層５の厚さＤは突起部４の全厚Ｈと一致するのが望ましいが、製造工程のばらつき等を考えると完全に一致させることは困難である。そこで、本実施形態では、接着層５が偏向部３の全厚Ｈ’の１０％以上には偏向部３に接着されないという第１の条件と、接着層５の厚みＤが突起部４の全厚Ｈの５０％以下にならないという第２の条件とを満たすようにした。
【００３９】
第１の条件と第２の条件はそれぞれ、接着層５の厚さをＤ、突起部４の厚さをＨ、偏向部３の厚さをＨ’とすると、以下の（１）式、（２）式で表される。
Ｄ−０．１Ｈ’＜Ｈ    …（１）
Ｄ＋０．５Ｈ’＞Ｈ    …（２）
【００４０】
上述した（１）式と（２）式の条件をともに満たすようにすれば、ほぼ理想的な中空の領域１０が形成され、本来の偏向部３と同様の光学特性を得ることができる。
【００４１】
図１の複数の偏向部３と複数の突起部４を光偏向層６上に形成する際には、複数の偏向部３と複数の突起部４の形状に合わせて加工された金型を用意し、この金型に光偏向層６の組成物を流し込んで硬化処理を行い、硬化物を金型から抜くことで、複数の偏向部３と複数の突起部４が形成される。このとき、図３（ａ）に示すように、突起部４のシート面方向の幅が偏向部３のシート面方向の幅よりも大きいと、硬化物を金型２０から簡単には抜けなくなってしまう。そこで、突起部４の幅Ｗは、偏向部３の幅Ｗ’よりも小さくするのが望ましい。以下では、Ｗ＜Ｗ’を第３の条件と呼ぶ。
【００４２】
その一方で、突起部４のシート面方向の幅Ｗが極端に小さいと、図３（ｂ）に示すように、硬化物を金型２０から抜くときに、突起部４が折れたり変形したりするおそれがある。また、突起部４の形状が変化しなかったとしても、突起部４の幅Ｗが極端に小さい場合は、突起部４の強度が不足することから、接着層５を付着したときに突起部４が折れたり変形したりするおそれがある。また、接着層５は突起部４のみに接着されるため、接着層５と突起部４との接着面積が小さくなり、接着層５が剥がれやすくなる。そこで、突起部４のシート面方向の幅Ｗ＞５μｍ（以下、第４の条件）とするのが望ましい。
【００４３】
このように、理想的な偏向部３と突起部４を形成するには、上述した第１〜第４の条件をすべて満たすのが望ましいが、仮にこれら４つの条件をすべて満たすことができない場合には、そのうちの少なくとも一つの条件を満たすようにするのが望ましい。上述した第１〜第２の条件は、図１の光制御シート１の光学特性を理想的なものにするための条件であるのに対して、第３〜第４の条件は、図１の光制御シート１の歩留まりや耐久性向上などの作製上の条件である。
【００４４】
上述したように、第１の実施形態では、偏向部３の先端部に突起部４を一体成形して、突起部４と接着層５とを接着し、接着層５が偏向部３の側面までできるだけ接着されないようにし、かつ突起部４のほぼ全体が接着層５に埋め込まれるようにするため、隣り合う偏向部３の間の中空の領域１０内に接着層５が入り込まなくなり、本来意図した通りに偏向部３の側面で入射光を反射または屈折等させることができ、光制御シート１の本来の光学特性を発揮させることができる。
【００４５】
（第２の実施形態）
上述した第１の実施形態では、採光用に窓や採光具９に貼り付けることを目的とした光制御シート１について説明したが、本発明に係る光制御シート１は、採光以外の目的にも適用可能である。
【００４６】
図４は再帰反射シートとして利用可能な光制御シート１の一例を示す部分断面図である。図４の光制御シート１の断面構造は図１の光制御シート１とほぼ同様であり、複数の偏向部３のそれぞれは、対応する突起部４に接する一端部３ａから、反対側の他端部３ｂまで延びる傾斜面３ｃを有する。ただし、図４の光制御シート１は、入射光の進行方向が図１とは異なっている。図４の光制御シート１では、図１とは反対側の面から光が入光される。すなわち、図４の光制御シート１では、接着層５とは反対側に配置される光偏向層６の端面６ａから入光された光は、偏向部３の側面で２回反射して、同じ端面６ａから出光される。入光された光の一部は、偏向部３を突き抜けて、さらに接着層５を通過するが、接着層５には反射板２１が貼り付けられているため、この反射板２１で反射して入光側に進行する。このように、図４の偏向部３は、光偏向層６に接する他端部３ｂ側から偏向部３に入光された光の少なくとも一部を、偏向部３の傾斜面３ｃで反射させて、他端部３ｂ側から出光させる。
【００４７】
図４の光制御シート１も、複数の偏向部３のそれぞれの先端部に突起部４が一体成形されており、接着層５は突起部４に接着される。よって、隣り合う偏向部３と接着層５との間に形成される中空の領域１０は理想的な形状になり、偏向部３の側面に入射された光は、本来意図した通りに反射することになり、反射輝度が低下するおそれがなくなる。
【００４８】
図４の光制御シート１は、標識等に利用される反射シートとして用いることができる他に、室内の壁に貼り付けて、天井等に置かれた室内灯を反射させて室内を全体的または部分的に照明する反射シートとして用いることもできる。
【００４９】
（第３の実施形態）
以下に説明する第３の実施形態は、光制御シート１を面光源装置に組み込んだものである。
【００５０】
図５は本実施形態に係る光制御シート１を有する面光源装置１１を模式的に示す図である。図５の面光源装置１１は、面光源部１２と、第３の実施形態に係る光制御シート１とを有する。図５の光制御シート１も、基本的な構造は、図１や図４と同じであり、複数の偏向部３のそれぞれは、対応する突起部４に接する一端部３ａから、反対側の他端部３ｂまで延びる傾斜面３ｃを有する。
【００５１】
図５の光制御シート１は、接着層５を面光源装置１１に対向配置させている。面光源部１２は、片側に設けられる光源１３と、光源１３からの光を面状に拡散させる導光板１４と、導光板１４の裏面側に配置される反射板１５とを有する。
【００５２】
導光板１４から面状に拡散された光は、光制御シート１内の接着層５を通り抜けて、偏向部３の側面で反射されて、接着層５に対向配置された光偏向層６の端面６ａ側から出光される。このように、図５の偏向部３は、接着層５を通して一端部３ａ側から入光された光の少なくとも一部を、偏向部３の傾斜面３ｃで反射させて他端部３ｂ側から出光させる。この端面６ａ側には、例えば不図示の液晶パネルが配置されて、図５の面光源装置１１は液晶パネル用のバックライト装置として用いることができる。
【００５３】
図５の光制御シート１においても、複数の偏向部３のそれぞれの先端部に突起部４が一体成形されており、接着層５は突起部４に接着される。よって、隣り合う偏向部３と接着層５との間に形成される中空の領域１０は理想的な形状になり、偏向部３の側面に入射された光は、本来意図した通りに反射することになり、反射輝度が低下するおそれがなくなる。
【００５４】
（第４の実施形態）
上述した第１〜第３の実施形態ではそれぞれ、採光用、反射用、面光源拡散用の光制御シートについて説明したが、本発明に係る光制御シート１は、入射光の反射、吸収、透過および熱吸収の少なくとも一つを含む光学特性を備えていればよい。また、光制御シート１に光を入光する際は、接着層５の側から入光してもよいし、光偏向層６の接着層５に対向する面側から入光してもよい。また、光制御シート１から光を出光する際は、接着層５の側から出光してもよいし、光偏向層６の接着層５に対向する面側から出光してもよい。
【００５５】
また、上述した第１〜第３の実施形態では、断面が概略台形状の偏向部３と、断面が概略矩形状の突起部４を設ける例を示したが、偏向部３と突起部４の形状は、上述した形状に限定されるものではない。
【００５６】
図６は偏向部３と突起部４の他の断面形状の例を示す図である。図６（ａ）は偏向部３よりも突起部４の傾斜角度が急峻である例、図６（ｂ）は偏向部３よりも突起部４の傾斜角度が緩い例、図６（ｃ）は突起部４の先端が尖っている例、図６（ｄ）は偏向部３と突起部４とが段差になっている例、図６（ｅ）は偏向部３の側面が左右非対称の例、図６（ｆ）は突起部４の側面が左右非対称の例をそれぞれ示している。
【００５７】
図６に示した各突起部４も偏向部３と突起部４の一部の例にすぎず、他の形状を採用してもよい。すなわち、偏向部３と突起部４は、側面の少なくとも一部の傾斜角度が相違しているか、あるいは段差になっており、また、シート面方向の幅が上述した第３および第４の条件を満たしていれば、どのような形状を採用してもよい。ただし、接着層５との厚さとの関係では、上述した第１および第２の条件を満たすような形状が望ましい。
【００５８】
また、光制御シート１内のすべての偏向部３または突起部４は、必ずしも同じ形状でなくてもよい。光制御シート１内の領域によって、偏向部３および突起部４の少なくとも一方の形状、サイズ、配置間隔を変えてもよい。
【００５９】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６０】
１  光制御シート、３  偏向部、４  突起部、５  接着層、６  光偏向層、７  溝、８  基材層、９  窓または採光具、１０  中空の領域、１１  面光源装置、１２  面光源部、１３  光源、１４  導光板、１５  反射板
【図１】
2014228652.tif 000003
【図２】
2014228652.tif 000004
【図３】
2014228652.tif 000005
【図４】
2014228652.tif 000006
【図５】
2014228652.tif 000007
【図６】
2014228652.tif 000008
【図７】
2014228652.tif 000009
【図８】
2014228652.tif 000010